(57)【特許請求の範囲】
【請求項１】
証明書類を印刷し、発行する証明書類の自動発行装置において、
発行を所望する証明書類のメニューの選択入力を受ける操作部と、
前記操作部で選択入力を受けた証明書類を印刷する印刷手段と、
前記印刷手段で印刷された証明書類に印影を朱色印字する朱印印字手段とを有し、
前記朱印印字手段は、
朱色のリボンを加熱して証明書類に印字するサーマル印字ヘッドと、
証明書類に朱色印字する場合は前記サーマル印字ヘッドを証明書類側に押圧し、朱色印字完了後は該サーマルライン印字ヘッドをリトラクションする駆動手段と、
前記リボンの両サイドに付設され、前記サーマル印字ヘッドの印字面より突出して前記証明書類に当接するよう配置された分離ローラと
を含むことを特徴とする。
【請求項２】
請求項１記載の自動発行装置であって、更に、
前記分離ローラは、前記サーマル印字ヘッドで前記リボンを介して証明書類に印字する箇所より、該証明書類を搬送する下流方向に配置されたことを特徴とする。
【発明の詳細な説明】
【０００１】
【発明の属する技術分野】
本発明の証明書類の自動発行装置は自治体におけるの住民票や鑑証明書類、或いは大学における卒業見込み証明書等のいわゆる証明書類を自動的に発行する装置に係る。
【０００２】
【従来の技術】
近年自治体における住民票や印鑑証明書類、或いは大学における卒業見込み証明書等いわゆる証明書類の発行処理は窓口業務における職員による発行処理から、効率向上、サービスの向上を目指して、平日、休日を問わず利用者が何時でも直接操作して所望の証明書類を取得できるいわゆる証明書類の自動発行装置へのニーズが高まりつつある。
【０００３】
こうしたニーズに対応し、様々な証明書類の自動発行装置が出現してきているが、従来のかかる製品は装置が大きく、高価で発行に時間が掛かる等種々の問題があった。 さらには証明書類には内容証明の下部に学長印等所管の認証印を朱色で押印することが求められる。
【０００４】
近年かかる証明書類の内容証明の印刷にはいわゆるＬＢＰ(Laser Beam Printer)と呼ばれるモノクロの電子式印刷が一般的であるが、認証印を朱印で印刷しようとすればカラーのＬＢＰを使用し、内容証明部は黒色で、認証印部は朱色のカラー色で一括印刷するか、モノクロのＬＢＰから内容証明部を黒色で印刷した証明書類をその後部に配置し朱印機構で印字するかが一般的に行われている。
【０００５】
【発明が解決しようとする課題】
上記従来技術のうち、前者においてはカラーＬＢＰはまだまだ印刷速度の点でモノクロＬＢＰに比べ著しく遅く、装置は大幅に大きく、コスト的にも大幅に高価になるなど実用的には大きな問題があった。一方後者においては朱印印字方式すなはち、特開平９−２５４５１４公報のごとく押印ローラ方式やシリアルワイアドット方式等があるが、押印ローラ方式は印影の種類に制約があるなどの問題があり、インクの補充等にも問題があった。
【０００６】
一方シリアルワイアドット方式においては朱印印字において証明書類を行毎に停止させながら所望の印影を印字せざるをえず、連続的に証明書類を印刷発行しようとした場合、前記朱印印字が完結するまでＬＢＰでの後続証明書類の内容証明部の印刷を止めておかねばならず、このため複数枚の証明書類を発行するのに著しい処理スピードの遅れとなるという大きな問題があった。
【０００７】
本発明の目的は、小型で効率の良い朱印印字方式からなる証明書類の自動発行装置を提供しようとするものである。
【０００８】
本発明の他の目的は、朱印リボンの印字後、証明書との剥離を容易にすべく安定した朱印印字を行う証明書類の自動発行装置を提供しようとするものである。
【０００９】
【課題を解決するための手段】
上記目的を実施するために、証明書類の証明内容を印刷する電子式印刷手段と、該印刷手段で印刷された証明書類を第１の搬送手段より停止することなく搬送しながら、証明書類上の朱印印字位置が所望の位置に搬送されて来るのと同期して、サーマルライン印字ヘッドからなる朱印印字手段を証明書の搬送方向と直交する方向に移動位置決めし、搬送中の証明書類に押圧して認証印の印影を朱色で印字するようになった朱印印字手段を備え、極めて小型で効率の良い証明書類の自動発行機構を実現している。
【００１０】
上記他のの目的を実施するためにサーマルライン印字ヘッドの両サイドに回転自由に装着されたリボン剥離用の補助ローラを設けたことにある。
【００１１】
【発明の実施の形態】
以下に本発明の実施例を図面に従って説明する。第１図は本発明の要部を説明する装置断面図、第２図は本発明の装置全体を説明する正面図、第３図は本発明の朱印印字部の要部を説明する上面図、第４図は朱印印字部の補助ローラの説明をする拡大図、第５図は証明書の一例を説明する説明図、第５図は朱印印字ヘッドの素子配列を説明する図である。
【００１２】
第２図において、本発明による証明書類の自動発行装置は、利用者が所望する証明書類を選択したり操作するいわゆる操作部１と、証明書類を印刷、搬送し自動発行する証明書類自動発行機構部２と、証明書発行手数料等を入出金処理する現金部３と、本人確認のためのＩＤリーダ４と、領収書を発行する領収書発行部５と、これらを制御する制御装置６からなる。
【００１３】
証明書１０を発行する場合、利用者はまず操作部１のタッチパネル画面１ａにより発行を希望する所望の証明書類のメニューを選択し、音声等のガイダンス等にしたがってＩＤリーダ４にＩＤカード７を第１図の矢印７Ａの方向挿入し、画面１ａより暗証番号を入力し本人確認を行なうことから取引が開始される。
【００１４】
証明書類の取引メニューの入力と本人確認が完了すれば、所望の料金をコイン投入口３１、紙幣投入口３２から投入すると、所望の証明書１０が証明書類自動発行機構部２で印刷、スタックされ証明書発行口８より一括発行されるようになっている。
【００１５】
同時に領収書、釣り銭が領収書発行部５、釣り銭口３３より発行され、一連の証明書発行処理が完了する。
【００１６】
図１において、操作部１の背面に実装された制御装置６は上位装置（図示されず）との接続機能を持つと共に本発明の装置全体における証明書発行処理を行なう。
【００１７】
操作部１のタッチパネル画面１ａより選択入力された所望の証明書１０は証明書類自動発行機構部２により印刷され発行されるが、以下に該証明書類自動発行機構部２における発行プロセスを説明する。
【００１８】
制御装置６より指示され、発行すべき証明書１０は電子式印刷装置１１により所望のフォーマットに印刷面を下向きに印刷され、第１の搬送手段１２に送り込まれる。
電子式印刷装置１１は電子式印刷手段からなり、複数の用紙ホッパ１１１、１１２、１１３、にそれぞれ所望サイズの証明書用紙１１１ａ，１１２ｂ、１１３ｃが収納されており、所望の用紙がそれぞれの用紙ホッパから送出されるようになっている。
【００１９】
前記用紙ホッパから送出された証明書用紙は電子印刷部１１４で所望の証明書内容が印刷され第１の搬送手段１２に送りこまれる。第１の搬送手段には認証印となる印を朱色で印字する朱印印字手段１３が設けられており、送り込まれた証明書１０は印刷面を朱印印字手段１３側にして搬送され、前記朱印印字手段１３の前方を通過しながら証明書１０上の所望の位置に所望の認証印を朱色で印影印字し、スタック１４迄搬送され、スタックされるようになっている。
【００２０】
朱印印字手段１３は当該証明書１０上の所望の位置に所望の認証印を朱印で効率よく印字するために、証明書１０は搬送を停止させることなく、前記朱印印字手段１３は前記証明書１０の搬送方向とは直交する方向の所望の位置に移動、位置決めされ、搬送してくる証明書１０の所望の位置に搬送ながら印字するようになっている。
【００２１】
朱印印字手段１３はキャリア１５に搭載され、前記証明書１０の搬送方向と直交方向にドット配列されたいわゆるサーマルライン印字ヘッド１６と、該印字ヘッド１６により証明書１０上に所望の朱印を印字する時、前記印字ヘッド１６をプラテン１７上に押圧する押圧手段１８と、所望の朱印印字が完了すると前記印字ヘッドをリトラクションヘッドリトラクション手段１８ａと、前記印字ヘッド１６を前記証明書１０上の所望の位置に位置決めするために証明書１０の搬送方向とは直交する方向に移動位置決めするようにしてなるキャリア駆動手段２１と、朱印印字ができるよう前記朱印印字手段１３に装着されたリボンカセット１９と、朱印リボン２０からなり、制御装置６より指令を受け駆動回路６ａを介し駆動制御されるようになっている。
【００２２】
第３図においてキャリア駆動手段２１はキャリアモータ２３と、ベルト２４と、サポートレール２２からなり、矢印２５に示す通り、証明書１０の搬送方向と直交する方向に左右自由に摺動できるようにサポートレール２２に支持され、キャリアモータ２３によりベルト２４を介し駆動され、サーマルライン印字ヘッド１６を証明書１０の搬送と直交する所望位置に移動位置決めされる。証明書１０が所望の位置まで搬送されてきたとき、前記サーマルライン印字ヘッド１６は先に述べた通りプラテン１７上に朱印リボン２０を挟み証明書１０上を押圧し所望の位置に所望の印影を印字するようになっている。リボンモータ２６は朱印リボンを巻き取るモータで前記サーマルライン印字ヘッド１６の押圧に同期して駆動するようになっている。
【００２３】
第３図、第４図において補助ローラ２０１はサーマルライン印字ヘッド１６の両側に該印字ヘッドの印字面１６ａより僅かな突出量ｐ突出して回転自由に装着されており、且つ、該印字ヘッド１６とプラテン１７の接触部２０２より証明書１０の搬送方向Ａ方向にシフト量ｄシフトしていて証明書１０との接触点２０３にて証明書１０をプラテン１７に押圧している。リボン２０は印字ヘッド１６による熱エネルギーにて熱転写されるリボンでできており、印字ポイントは印字ヘッド１６とプラテン１７の接触点２０２の接点上になるよう設定されている。このためサーマルライン印字ヘッド１６でリボン２０を介し搬送中の証明書１０上に熱転写印字するときリボン２０と証明書１０は補助ローラ２０１の作用によって印字後の分離が容易になるようになっている。
【００２４】
第５図、第６図において、証明書１０に印刷される内容証明部１０ａは前述の電子式印刷装置１１で印刷され朱印１０ｂは前述の説明の通り証明書１０がＹ方向に搬送されながら、前記サーマルライン印字ヘッド１６が証明書１０の搬送方向とは直交する方向Ｘ方向に移動位置決めされ所望の朱印印字がされる。第５図において証明書１０の基準より（ｘ１、ｙ１）の位置に所望の朱印を印字しようとする時、ｘ１はサーマルライン印字ヘッド１６を証明書１０の搬送方向とは直交する方向Ｘの移動で位置決めされ、ｙ１は証明書１０の搬送方向Ｙの搬送によって決められ、該証明書１０の所望の搬送量に同期してサーマルライン印字ヘッド１６が押圧駆動され印字されるようになっている。
【００２５】
サーマルライン印字ヘッド１６のサーマルドット素子１６ａは証明書１０の搬送方向Ｙに直角な方向に配列され、通常内容証明部１０ａの行方向が搬送方向Ｙに直交する方向Ｘに印刷された証明書１０においては、朱印の向きは搬送方向Ｙの向きに図示の通り印字される。内容証明部１０ａの行方向が第５図と異なる場合にあっては、すなわち、搬送方向Ｙの方向が証明書１０の行方向になるよう印刷された証明書１０の場合(図示せず）は、証明書１０上の行方向の朱印位置決めは該証明書１０の搬送量できめられ、改行方向の朱印位置決めはサーマルライン印字ヘッド１６の移動量で位置決めされるこというまでもない。この場合、朱印の向きのみ内容証明部１０ａの印刷の向き対応するよう印影出力が制御され所望の向きに所望の朱印がされるようになっている。
【００２６】
証明書１０上に朱印の施された証明書１０はスタッカ１４に送り込まれる。該スタッカ１４は上部搬送ガイド１４ａと下部搬送ガイド１４ｂ、切り替えゲート２８、シャッ２７からなり、該スタッカ１４内に証明書が所望の枚数スタックされされるまで上部搬送ガイド１４ａは上方に上げられている。スタッカ１４内にスタックされた証明書１０１はスタックが完了すると、前記上部搬送ガイドが降下せしめられ、下部搬送ガイド１４ｂとの間に挟持され、発行方向１０Ａの方向に搬送発行されるようになっている。
【００２７】
スタッカ１４内にスタックされる証明書１０１が所定のサイズより大きい証明書１０２をスタックする場合、切替えゲート２８はゲート位置２８ａの位置に作動せしめられ湾曲したガイド２９に沿ってスタッカ１４の下部の装置内に前記証明書１０２の先端が案内されるよう一旦スタックされる。所望の枚数スタックが完了すると、該証明書１０２は上部搬送ガイド１４ａと下部搬送ガイド１４ｂに挟持され所定量引込んだ後、前記切替えゲート２８はゲート位置２８ｂの位置に降ろされ、前記証明書１０２を前述と同じように発行方向１０Ａの方向に搬送、発行されるようになっている。
【００２８】
シャッタ２７はスロープ２７ａを有し、支点２７ｂの廻りに自重で自由に回転するよう保持されており、証明書１０１、１０２が発行方向１０Ａに搬送発行されるとき、該シャッタ２７の自重をスロープ２７ａに沿って押し退け搬送、発行される。
【００２９】
発行口８に発行された証明書１０１、１０２が所定時間経過しても操作者によって引き抜かれ持って行かれなかった場合、取り忘れたものと見なされ前記証明書１０１、１０２は再度スタッカ１４内に引込まれ、自重で垂れ下がったブラインド３６を押し退け第２の搬送手段３４に送り込まれる。前記搬送手段３４によってさらに前記証明書１０１、１０２は回収スタッカ３５まで送られ回収、収納されるようになっている。
【００３０】
回収スタッカ３５は先端に湾曲したガイド３０が設けられており、所定サイズより大きい証明書１０２を回収収納する時は図示のとおり前記証明書１０２の先端部は前記ガイド３０によって湾曲案内され、装置内の空間に収納されるようになっている。
【００３１】
【発明の効果】
本発明によると、従来方式に比べ証明書類の印刷、朱印、発行を極めて小型で簡単な機構で実現でき、効率の良い証明書類の自動発行装置を提供できる。
【００３２】
朱印の印字ヘッドは通常の朱印サイズをカバーする比較的小さいサイズにでき、証明書の搬送と朱印ヘッドの前記証明書の搬送とは直交する方向に移動させることで、証明書上の任意の位置に朱印を印字できる。また、朱印はドット構成からなる印影イメージで印字できるので、印影の数、印影の向き、印影の形などの制約、さらには証明書のフォーマットの制約等を受けずに証明書の自動発行装置を提供できる。
【図面の簡単な説明】
【図１】本発明の要部を説明する装置断面図、
【図２】本発明の装置全体を説明する正面図、
【図３】本発明の要部を説明する平面図、
【図４】朱印印字部の補助ローラを説明する拡大図
【図５】証明書の一例を説明する図、
【図６】朱印ヘッドのドット配列を説明する図である。
【符号の説明】
１・・・操作部、１ａ・・・タッチパネル画面、２・・・証明書類自動発行機構部、３・・・現金部、４・・・ＩＤリーダ、５・・・領収書発行部、６・・・制御装置、６ａ・・・駆動回路、７・・・ＩＤカード、８・・・証明書発行口、９・・・領収書発行口、１０・・・証明書、１１・・・電子式印刷装置、１２・・・第１の搬送手段、１３・・・朱印印字手段、１４・・・スタッカ、１５・・・キャリア、１６・・・サーマルライン印字ヘッド、１７・・・プラテン、１８・・・ヘッド押圧手段、１８ａ・・・ヘッドリトラクション手段、１９・・・リボンカセット、２０・・・リボン、２１・・・キャリア駆動手段、２２・・・サポートレール、２３・・・キャリア駆動モータ、２４・・・ベルト、２５・・・キャリア移動方向、２６・・・リボンモータ、２７・・・シャッタ、２８・・・切替えゲート、２９・・・ガイド、３０・・・ガイド、３１・・・コイン投入口、３２・・・紙幣投入口、３３・・・釣銭口、３４・・・第２の搬送手段、３５・・・回収手段、３６・・・ブラインド、１０１、１０２・・・証明書、１１１、１１２、１１３・・・用紙ホッパ、１１１ａ、１１２ｂ、１１３ｃ・・・用紙、１１４・・・電子印刷部、２０１・・・補助ローラ、２０２・・・ヘッド接触点、２０３・・・補助ローラ接触点、ｄ・・・補助ローラ接触点のヘッド接触点からのシフト量、ｐ・・・補助ローラのヘッド面よりの突出量。
【図１】
0003716138.tif 000002
【図２】
0003716138.tif 000003
【図３】
0003716138.tif 000004
【図４】
0003716138.tif 000005
【図５】
0003716138.tif 000006
【図６】
0003716138.tif 000007